(57)【要約】【課題】  従来に比べて簡易な構成によって２つのマイクロホンユニットの主軸が形成する角度を可変させることができるステレオマイクロホンに関する。【解決手段】  ２つの単一指向性マイクロホンユニットを所定の角度で固定する弾性部材からなる支持体と、操作によって支持体の一部に外力を与える可動部材と、を有し、支持体が外力によって変形し、各マイクロホンユニットの主軸が形成する角度を可変することができるステレオマイクロホンユニットによる。【選択図】図２
2011071614.tif 000002
【特許請求の範囲】
【請求項１】
２つの単一指向性マイクロホンユニットを所定の角度で固定する弾性部材からなる支持体と、
操作によって上記支持体の一部に外力を与える可動部材と、を有し、
上記支持体が上記外力によって変形し、上記各マイクロホンユニットの主軸が形成する角度を可変することができるステレオマイクロホン。
【請求項２】
上記可動部材は、摺動操作部材と、この摺動操作部材に加えられる操作力を上記支持体に伝える仲介部材と、を有していることを特徴とする請求項１に記載のステレオマイクロホン。
【請求項３】
上記仲介部材はワイヤーからなり、上記可動部材は、上記支持体の一部を下方に引き込むように構成されていることを特徴とする請求項２に記載のステレオマイクロホン。
【請求項４】
上記仲介部材はロッドからなり、上記可動部材は、上記支持体の一部を上方に押し上げるように構成されていることを特徴とする請求項２に記載のステレオマイクロホン。
【請求項５】
上記主軸の角度は無段階に可変させることができる請求項１乃至４のいずれかに記載のステレオマイクロホン。
【請求項６】
上記主軸の角度は多段階に可変させることができる請求項１乃至４のいずれかに記載のステレオマイクロホン。
【発明の詳細な説明】
【技術分野】
【０００１】
本発明は、ステレオマイクロホンに関するものであって、従来に比べて簡易な構成によって２つのマイクロホンユニットの主軸が形成する角度を可変させることができるステレオマイクロホンに関するものである。
【背景技術】
【０００２】
従来から、ステレオマイクロホンが用いる収音方式として、ＸＹステレオ方式とＭＳステレオ方式が知られている。ＸＹステレオ方式は、２つの単一指向性マイクロホンユニットの左側のユニット出力をＬチャンネル，右側のユニット出力をＲチャンネルとして、各マイクロホンユニットの主軸がステレオ収音に適した角度を形成するように、各マイクロホンユニットを機械的に固定するものである。このようなＸＹステレオ方式において、各マイクロホンユニットを動かして主軸が形成する角度を可変することができるものが知られている（例えば、特許文献１参照）。
【０００３】
他方、ＭＳステレオ方式は、単一指向性マイクロホンユニットより主信号Ｍを得るとともに、これと直交するように配置された双方向性マイクロホンユニットから方向信号Ｓを得て、これらの各信号をマトリクス回路に入力し、（Ｍ＋Ｓ）と（Ｍ−Ｓ）の左右（ＬＲ）各チャンネル信号を作ることでステレオ収音を可能とするものである（例えば、特許文献２参照）。
【０００４】
ＸＹステレオ方式は、ＭＳステレオ方式に比べて回路構成が簡単であることから、主に安価なステレオマイクロホンに適用されている。従来のＸＹステレオ方式のステレオマイクロホンとして特許文献１に記載されているステレオマイクロホンを例に挙げて説明する。図３は特許文献１に記載されているステレオマイクロホンに係る全体図である。図４はマイクロホンユニットの収納部を拡大した断面図である。図３において、ステレオマイクロホン１００は、マイクロホンユニットが内部に収納されるマイク収納体１０２、利用者が当該ステレオマイクロホン１００を把持するためのグリップ１０３を有してなる。マイク収納体１０２の外装部分には、内部に収納されているマイクロホンユニットの向きを機械的に動かすロータリースイッチ１０４が配設されている。
【０００５】
図４に示すようにマイク収納体１０２の内部には、左右のチャンネルを構成する２つのマイクロホンユニット１０３及び１０４と、マイクロホンユニット１０３及び１０４を機械的に固定するマイク支持体１０５及び１０６と、マイク支持体１０５及び１０６をロータリースイッチ１０４（図１）の操作によって動かすカム体１０７が配設されている。
【０００６】
ロータリースイッチ１０４（図１）の操作によってカム体１０７を回転させると、それに応じてマイク支持体１０５及び１０６が動いて、マイクロホンユニット１０３及び１０４の向きが変わる。これによって、各マイクロホンユニットの主軸が形成する角度をステレオ収音に適した任意の角度（例えば１２０度）設定にすることができる。
【先行技術文献】
【特許文献】
【０００７】
【特許文献１】実公昭５７−２３９８８号公報
【特許文献２】特開２００２−３７４５９２号公報
【発明の概要】
【発明が解決しようとする課題】
【０００８】
しかしながら、特許文献１に記載のステレオマイクロホンユニットのように、２つのマイクロホンユニットの主軸の角度を機械的に可変し固定するには、各マイクロホンユニットを固定する部材のほかに、各マイクロホンユニットや固定部材を可動させる部材、可動させた後に一定の角度を維持するための部材、角度を可変する操作を行うための部材など多数の部材が必要となる。また、これら多数の部材を組み合わせることで、主軸の角度を可変とするためには複雑な構成となっていた。
【０００９】
本発明は、上記課題を鑑みてなされたもので、２つの単一指向性マイクロホンユニットの主軸の角度を簡易な構成によって可変することができるステレオマイクロホンを提供することを目的とする。
【課題を解決するための手段】
【００１０】
本発明は、２つの単一指向性マイクロホンユニットを所定の角度で固定する弾性部材からなる支持体と、操作によって支持体の一部に外力を与える可動部材と、を有し、支持体が外力によって変形し、各マイクロホンユニットの主軸が形成する角度を可変することを最も主要な特徴とする。
【００１１】
また、本発明は、上記ステレオマイクロホンにおいて、可動部材は、摺動操作部材と、この摺動操作部材に加えられる操作力を支持体に伝える仲介部材と、を有していることを特徴とする。
【００１２】
また、本発明は、上記ステレオマイクロホンの可動部材において、仲介部材がワイヤーからなり、可動部材は支持体の一部を下方に引き込むように構成されていることを特徴とする。
【００１３】
また、本発明は、上記ステレオマイクロホンの可動部材において、仲介部材がロッドからなり、可動部材は支持体の一部を上方に押し上げるように構成されていることを特徴とする。
【００１４】
また、本発明は、上記ステレオコンマイクロホンにおいて、上記主軸の角度は無段階に可変させることができることを特徴とする。
【００１５】
また、本発明は、上記ステレオマイクロホンにおいて、上記主軸の角度は多段階に可変させることができることを特徴とする。
【発明の効果】
【００１６】
本発明によれば、２つのコンデンサマイクロホンユニットを、弾性部材からなる支持体に固定し、この支持体に外力を与えることで、各マイクロホンユニットの指向軸がステレオ収音に適する角度となるように、各マイクロホンユニットが形成する角度を可変することができるステレオマイクロホンを得ることができる。
【図面の簡単な説明】
【００１７】
【図１】本発明に係るステレオマイクロホンに用いるステレオマイクロホンユニットの実施例を示す断面図である。
【図２】本発明に係るステレオマイクロホンの実施例を示す断面図である。
【図３】従来のステレオマイクロホンの例を示す斜視図である。
【図４】従来のステレオマイクロホンユニットの例を示す透視図である。
【発明を実施するための形態】
【００１８】
以下、本発明に係るステレオマイクロホンについて図を用いて説明をする。図１は本発明に係るにステレオマイクロホンに用いるステレオマイクロホンユニットの実施例を示す断面図である。図１に示すようにステレオマイクロホンユニット１は、左右それぞれのチャンネルの音声信号を出力するコンデンサマイクロホンユニット１１（以下「ユニット１１」とする）を左右に備えている。各ユニット１１は、弾性部材からなる支持体１２に固定されている。支持体１２は、底部１２ａが後述するマイク収納体に固定され、その外周縁部が上方向に張り出して中心点上方において頂部１２ｂを有する部材であって、縦断面の形状が図１に示すように、略三角形状をなしている。支持体１２はユニット１１に対するショックマウントとしての役割も果たしている。
【００１９】
支持体１２の対をなす左右の斜面には左右のユニット１１をそれぞれ嵌合させて固定する固定部１１ａが形成されている。固定部１１ａの外側面側とユニット１１の背面側にはそれぞれ前部音響端子孔、後部音響端子孔となる孔が形成されている。
支持体１２は弾性部材で形成されているので、頂部１２ｂを押し上げると、固定されているユニット１１の主軸ＤＬと主軸ＤＲが形成する角度は大きくなり（図１（ａ）参照）、頂部１２ｂを押し下げると、固定されているユニット１１の主軸ＤＬと主軸ＤＲが形成する角度は小さくなる（図１（ｂ）参照）。
【００２０】
主軸ＤＬと主軸ＤＲが形成する角度は、ステレオ収音に適する角度であって、例えば、図１（ａ）に示すように、大きい角度の場合は略１２０度になり、図１（ｂ）に示すように、小さい角度の場合は略９０度になればよい。
【００２１】
このように、本発明の上記実施例に係るステレオマイクロホンに用いるステレオマイクロホンユニットは、弾性部材からなる支持体１２の一部である頂部１２ｂに外力を与えることで、ユニット１１の主軸が形成する角度を可変することができ、これによって、ステレオ収音に適する左右のユニット１１の主軸がなす角度を設定して固定できる構成を、簡易な構成で得ることができる。
【００２２】
次に、本発明に係るステレオマイクロホンの実施例について図２を用いて説明する。図２において、ステレオマイクロホン１０は、ステレオマイクロホンユニット１を内部に備えるマイク収納体１３と、グリップ１４を有してなる。ステレオマイクロホンユニット１は、マイク収納体１３の内部において固定されている。マイク収納体１３は、ステレオマイクロホンユニット１に音が到達し得るように、網状または多数の小孔が穿設されている。
【００２３】
グリップ１４は、図示しないが、例えばＦＥＴによって構成されるインピーダンス変換器や当該ステレオマイクロホン１０を動作させる電源を供給する電池などが収納されている。また、グリップ１４には、摺動操作部材であるスライドスイッチ１６が設置されている。スライドスイッチ１６には硬質の線部材であるワイヤー１５の端部が固定されており、このワイヤー１５は、他方の端部を支持体２の頂部１２ｂに固定されている。
スライドスイッチ１６、ワイヤー１５、頂部１２ｂによって本発明に係るステレオコンデンサマイクロホンユニット及びステレオコンデンサマイクロホンにおける可動部材を構成している。ワイヤー１５はスライドスイッチ１６の操作力を支持体１２の頂部１２ｂに伝える仲介部材としての役割を持っている。
【００２４】
ユニット１１の支持体１２は、それ自体の弾力によって、外力が加わらない自然状態では、頂部１２ｂが底部１２ａから遠ざかって、左右のユニット１１の主軸のなす角度が大きくなる。上記支持体１２の弾力に抗して頂部１２ｂを底部１２ｂに接近させる向きの外力を加えると、左右のユニット１１の主軸のなす角度が小さくなる。
【００２５】
図２（ａ）に示すようにスライドスイッチ１６が、上側に位置すると、支持体１２はその弾力によって頂部１２ｂが底部１２ａから遠ざかるように動くので、左右の斜面の傾斜はきつくなる。これによって、左右の各ユニット１１の主軸ＤＬと主軸ＤＲの向きはそれぞれ外側に広がる方向に向くので、双方の主軸が形成する角度は大きくなる。
【００２６】
また、図２（ｂ）に示すようにスライドスイッチ１６が、下側に位置すると、ワイヤー１５を介して頂部１２ｂには下方向への外力が加わる。この外力によって、支持体１２はその弾力に抗して下方向に押さえられるように動くので、左右の斜面の傾斜は緩くなる。これによって、左右の各ユニット１１の主軸ＤＬと主軸ＤＲの向きはそれぞれ、内側に狭まる方向に動くので、双方の主軸が形成する角度は小さくなる。
【００２７】
スライドスイッチ１６を移動範囲の上端に移動させたときの各ユニット１１の主軸間の角度が１２０度となるように調整し、スライドスイッチ１６を移動範囲の下端に移動させたときの各ユニット１１の主軸間の角度が９０度なるように調整すれば、指向特性を上記のように１２０度と９０度の間で任意に調整することができるステレオマイクロホンを得ることができる。
【００２８】
また、スライドスイッチ１６を、可動域内の任意の位置で保持することができるようにすることで、各ユニット１１の主軸間の角度を任意の角度にすることもできる。
【００２９】
また、本実施例に係るステレオマイクロホン１０が備えるステレオマイクロホンユニット１は、各マイクロホンユニット１１を固定する支持体１２に弾性部材を用いているので、支持体１２はショックマウントとして機能し、当該マイクロホン１０を手持ちで使用する際に生じる振動を、支持体１２が吸収することができ、振動雑音の影響を受けずに使用することができる。
【００３０】
上記実施例では、スライドスイッチ１６と支持体１２の頂部１２ｂがワイヤー１５を介して連結されていたが、ワイヤー１５をロッドすなわち剛体からなる細い棒で連結してもよい。この場合、支持体１２は復元力がなくてもよい。
【００３１】
以上説明した実施例に係るステレオマイクロホンによれば、２つの単一指向性マイクロホンユニットを用いて構成するステレオマイクロホンにおいて、簡易な構成で左右のマイクロホンユニットの向きを変えることが出来、ステレオ収音に適する主軸の角度を容易に設定することができる。
【符号の説明】
【００３２】
１    ステレオマイクロホンユニット
１０  ステレオマイクロホン
１１  マイクロホンユニット
１２  支持体
１３  収納ケース
１４  グリップ
１５  ワイヤー
１６  スライドスイッチ
【図１】
2011071614.tif 000003
【図２】
2011071614.tif 000004
【図３】
2011071614.tif 000005
【図４】
2011071614.tif 000006
【手続補正書】
【提出日】平成22年8月31日(2010.8.31)
【手続補正１】
【補正対象書類名】明細書
【補正対象項目名】０００５
【補正方法】変更
【補正の内容】
【０００５】
図４に示すようにマイク収納体１０２の内部には、左右のチャンネルを構成する２つのマイクロホンユニット１０５及び１０６と、マイクロホンユニット１０５及び１０６を機械的に固定するマイク支持体１０７及び１０８と、マイク支持体１０７及び１０８をロータリースイッチ１０４（図１）の操作によって動かすカム体１０９が配設されている。
【手続補正２】
【補正対象書類名】明細書
【補正対象項目名】０００６
【補正方法】変更
【補正の内容】
【０００６】
ロータリースイッチ１０４（図１）の操作によってカム体１０９を回転させると、それに応じてマイク支持体１０７及び１０８が動いて、マイクロホンユニット１０５及び１０６の向きが変わる。これによって、各マイクロホンユニットの主軸が形成する角度をステレオ収音に適した任意の角度（例えば１２０度）設定にすることができる。
【手続補正３】
【補正対象書類名】図面
【補正対象項目名】図４
【補正方法】変更
【補正の内容】
【図４】
2011071614.tif 000007